(57)【要約】    【課題】ユーザーが所持している地図図面を、ナビゲーション用の地図データとして簡単に利用できるようにする。    【解決手段】ユーザーが１枚ごとにスキャニングした地図画像を所定のフォーマットで画像フォルダー６に保存し、表示部４の画面１４に表示した地図画像上の指示されたポイントに基づいて地図画像の各ポイントの座標をデータベース１０に登録する。ＧＰＳ１２から取得した現在位置情報により登録した範囲内にある地図画像を呼び出し画面１４に表示し、その地図画像の座標の現在位置情報と一致する部分に現在位置ポインターを表示する。【選択図】図１
2007132851.tif 000002
【特許請求の範囲】
【請求項１】
コンピュータを、
ユーザーが１枚ごとにスキャニングした地図画像を所定のフォーマットで画像フォルダーに保存する画像保存手段、
表示部の画面に表示した地図画像上の指示されたポイントに基づいて前記地図画像の各ポイントの座標をデータベースに登録する画像登録手段、
ＧＰＳから取得した現在位置情報により登録した範囲内にある地図画像を呼び出しその地図画像の座標と一致する部分に現在位置ポインターを表示する画像表示手段
として機能させたことを特徴とするナビゲーションプログラム。
【請求項２】
前記画像登録手段は、前記地図画像の画面に表示される範囲を設定するデータ範囲設定手段を備えていることを特徴とする請求項１に記載のナビゲーションプログラム。
【請求項３】
コンピュータを、
ユーザーが１枚ごとにスキャニングした地図画像を所定のフォーマットで画像フォルダーに保存する画像保存手段、
表示部の画面に表示した地図画像上の指示されたポイントに基づいて前記地図画像の各ポイントの座標をデータベースに登録する画像登録手段、
ＧＰＳから取得した現在位置情報により登録した範囲内にある地図画像を呼び出しその地図画像の座標と一致する部分に現在位置ポインターを表示する画像表示手段、
前記表示部の画面に表示された地図画像の上から手書き情報を書き込むための編集画面レイヤーを設け、該レイヤー画面への書き込み情報を前記データベースに保存する編集手段
として機能させたことを特徴とするナビゲーションプログラム。
【請求項４】
ＧＰＳ受信機と、ユーザーが１枚ごとにスキャニングした地図画像を所定のフォーマットで画像フォルダーに保存する画像保存手段と、表示部の画面に表示した地図画像上の指示されたポイントに基づいて前記地図画像の各ポイントの座標をデータベースに登録する画像登録手段と、ＧＰＳから取得した現在位置情報により登録した範囲内にある地図画像を呼び出しその地図画像の座標と一致する部分に現在位置ポインターを表示する画像表示手段とを備えたことを特徴とするナビゲーション装置。
【請求項５】
前記画像登録手段は、前記地図画像の画面に表示される範囲を設定するデータ範囲設定手段を備えていることを特徴とする請求項４に記載のナビゲーション装置。
【請求項６】
前記表示部の画面に表示された地図画像の上から手書き情報を書き込むための編集画面レイヤーを備え、該レイヤー画面への書き込み情報を前記データベースに保存する編集手段を備えたことを特徴とする請求項４又は請求項５に記載のナビゲーション装置。
【発明の詳細な説明】
【技術分野】
【０００１】
本発明は、ユーザーがスキャニングした地図画像データを、ＧＰＳと連動をとり地図表示画面に現在位置を表示するナビゲーションプログラム及び該ナビゲーションプログラムを使用したナビゲーション装置に関する。
【背景技術】
【０００２】
従来、ＧＰＳの現在位置情報をコンピュータで処理し、ディスプレイに表示した地図画面上に現在位置を表示するようにしたナビゲーション装置が知られている（例えば特許文献１参照）。
【特許文献１】特開２００５−１４７９４６公報
【発明の開示】
【発明が解決しようとする課題】
【０００３】
従来のナビゲーション装置は、いずれも市販のデジタル地図データを使用し、ユーザーが所持する地図をスキャナーでデータとして取り込み利用できる構成とはなっていない。しかしながら、各種パトロールや調査業務等の分野においては、様々な情報を書き込み訂正変更を加えた地図を扱っている。これらの地図をナビゲーション用に利用できれば、きわめて便利であるが、このような機能を有するナビゲーション装置が未だ開発されていない。
本発明は、ユーザーが所持している地図図面を簡単にナビゲーションの地図データとして利用できるナビゲーションプログラム及びナビゲーション装置を提供することを目的とするものである。
【課題を解決するための手段】
【０００４】
上記目的を達成するため本発明は、コンピュータを、ユーザーが１枚ごとにスキャニングした地図画像を所定のフォーマットで画像フォルダーに保存する画像保存手段、表示部の画面に表示した地図画像上の指示されたポイントに基づいて前記地図画像の各ポイントの座標をデータベースに登録する画像登録手段、ＧＰＳから取得した現在位置情報により登録した範囲内にある地図画像を呼び出しその地図画像の座標と一致する部分に現在位置ポインターを表示する画像表示手段として機能させたものである。
また本発明は、前記画像登録手段は、前記地図画像の画面に表示される範囲を設定するデータ範囲設定手段を備えていることを特徴とするものである。
また本発明は、コンピュータを、ユーザーが１枚ごとにスキャニングした地図画像を所定のフォーマットで画像フォルダーに保存する画像保存手段、表示部の画面に表示した地図画像上の指示されたポイントに基づいて前記地図画像の各ポイントの座標をデータベースに登録する画像登録手段、ＧＰＳから取得した現在位置情報により登録した範囲内にある地図画像を呼び出しその地図画像の座標と一致する部分に現在位置ポインターを表示する画像表示手段、前記表示部の画面に表示された地図画像の上から手書き情報を書き込むための編集画面レイヤーを設け、該レイヤー画面への書き込み情報を前記データベースに保存する編集手段として機能させたものである。
また本発明は、ＧＰＳ受信機と、ユーザーが１枚ごとにスキャニングした地図画像を所定のフォーマットで画像フォルダーに保存する画像保存手段と、表示部の画面に表示した地図画像上の指示されたポイントに基づいて前記地図画像の各ポイントの座標をデータベースに登録する画像登録手段と、ＧＰＳから取得した現在位置情報により登録した範囲内にある地図画像を呼び出しその地図画像の座標と一致する部分に現在位置ポインターを表示する画像表示手段と、前記表示部の画面に表示された地図画像の上から手書き情報を書き込むための編集画面レイヤーを備え、該レイヤー画面への書き込み情報を前記データベースに保存する編集手段とを備え、前記画像登録手段が、前記地図画像の画面に表示される範囲を設定するデータ範囲設定手段を備えているものである。
【発明の効果】
【０００５】
本発明はユーザーが所持している地図図面を簡単にナビゲーション用の地図データとして使用することができる。
【発明を実施するための最良の形態】
【０００６】
以下に本発明の構成を添付した図面を参照して詳細に説明する。
図３において、符号２は、本発明にかかるナビゲーション装置本体を示し、表示部４と、画像フォルダー６と、画像登録ツールにより構成される画像登録部８と、データベース１０とから構成され、これらの構成部は、コンピュータのハードウエアとこれのメモリに格納されたナビゲーションプログラムにより構築されている。
【０００７】
１２は、ＧＰＳ受信機であり、ＧＰＳアンテナで取得した位置情報を表示部４に入力するものである。ユーザーがナビゲーション装置の画面１４に使用したい地図図面は、予めスキャナー１６を用いてスキャニング処理を行い、所定のフォーマット例えばＴｉｆｆ画像データ２０に変換し、画像フォルダー６に格納しておく。
【０００８】
画像フォルダー６に格納された各Ｔｉｆｆ画像は、画像登録部８により各種の属性が付与されて、データベース１０に登録される。この画像登録処理は、本体２に内蔵されたコンピュータに格納されたナビゲーションプログラムの中の１つの機能である画像登録ツールにより実行される。
【０００９】
画像登録ツールは、ユーザーの操作により、画像フォルダー６の中から、処理８ａによってＴｉｆｆ画像を読み込み、画面に表示する。ユーザーのキーボード操作に基づいて、画面に表示されたＴｉｆｆ画像に２点または３点のポイント位置が指定されると、これらポイントの座標が画面に表示されたＴｉｆｆ画像の座標データとしてデータベース１０に入力され、またこれらの座標データに基づいて、Ｔｉｆｆ画像の所定の各ポイントの座標もプログラムによりデータベース１０に入力される（座標入力処理８ｂ）。
【００１０】
また、図３に示すように、データ範囲２２を設定し、汎用のデータベース１０に保存する（データ範囲入力処理８ｃ）。上記登録した各画像は、１枚に繋ぎ合わせるなどの加工は必要なく、複数枚にわたって登録することができる。また、斜めの図郭のデータでも登録することができる。汎用データベース１０に登録された地図画像は、設定された座標値により、自動的に並び替えられる。
【００１１】
また、Ｔｉｆｆ画像の各ポイントの座標値が汎用データベース１０に入力されるため、元図面の縮尺に影響されることがない。
尚、地図画像の更新があった場合は、更新された画像のみを入れ替えれば良い。
【００１２】
次に表示部４の動作について説明する。
表示部４は、ステップＳ１でＧＰＳ受信機１２からの位置情報を取得すると、ステップＳ２で汎用データベース１０を検索し、現在位置情報が範囲内に収まる対応するＴｉｆｆ画像を画像フォルダー６から呼び出し（ステップＳ３）、画面１４に、レイヤーで構成される編集面とともに表示する（ステップＳ４）。
【００１３】
また、その表示した画像の座標と一致する現在位置ポインター２４を表示する。ユーザーは、画面１４に表示された地図画像の編集面に所望の図形、記号、文字などを手書き入力操作で書き込み且つ訂正することができる。書き込まれた編集面の編集データは、汎用データベース１０に地図画像の登録情報とともに保存される。
【００１４】
ＧＰＳ受信機１２からの現在位置情報は、リアルタイムで変化し、その都度画像上に表示された現在位置ポインター２４の座標位置を更新し、自動的に移動させる。ＧＰＳ受信機１２からの現在位置情報が、登録したデータ範囲を超えたときには、自動的に隣接する画像データを呼び出し、表示部４の画面１４に表示する。
【図面の簡単な説明】
【００１５】
【図１】本発明のブロック説明図である。
【図２】本発明のブロック説明図である。
【図３】本発明の説明図である。
【符号の説明】
【００１６】
２      本体
４      表示部
６      画像フォルダー
８      画像登録部
１０    データベース
１２    ＧＰＳ受信機
１４    画面
１６    スキャナー
１８    スキャニング処理
２０    Ｔｉｆｆ画像データ
２２    データ範囲
２４    現在位置ポインター
【図１】
2007132851.tif 000003
【図２】
2007132851.tif 000004
【図３】
2007132851.tif 000005